(57)【要約】【課題】ジャム発生時に画像形成装置の本体内に滞留している記録紙を再利用可能にする。【解決手段】画像形成装置は、給紙部と、給紙部から給紙された記録紙にトナー像を形成する画像形成動作を行う画像形成部と、画像形成部によってトナー像が形成された記録紙を加熱及び加圧して該トナー像を該記録紙に定着させる定着処理を施す定着部と、定着処理後の記録紙を排出可能な排出トレイと、定着処理後の記録紙を排出トレイのいずれに排出させるかを制御する制御部とを備える。制御部は、記録紙を排出トレイへ排出させる連続印刷ジョブの実行中に発生したジャムが解除されたとき、該ジャムを発生させた記録紙の搬送方向上流側に滞留している記録紙を排出トレイから排出させる。【選択図】図３
2015206944.tif 000002
【特許請求の範囲】
【請求項１】
記録紙を収容し、該収容している記録紙を１枚ずつ繰り出す給紙部と、
前記給紙部から給紙された記録紙に画像を形成する画像形成動作を行う画像形成部と、
前記画像形成部によってトナー像が形成された記録紙を加熱及び加圧して該トナー像を該記録紙に定着させる定着処理を施す定着部と、
前記定着処理後の記録紙が排出される第１の記録紙排出部と、
前記記録紙が前記第１の記録紙排出部に向けて搬送される搬送路と、
前記搬送路において、前記第１の搬送路より記録紙搬送方向上流側となる位置に配置された第２の記録紙排出部と、
前記搬送路において前記記録紙を前記第１及び第２の記録紙排出部まで搬送する搬送部と、
前記搬送路における予め定められた位置での記録紙有無を検出する記録紙有無検出部と、
前記搬送路における記録紙ジャムを検出する記録紙ジャム検出部と、
前記搬送部により、前記記録紙を前記第１又は第２の記録紙排出部のいずれに向けて搬送させるかを切り換える切換部と、
印刷ジョブを実行し、前記第１又は第２の記録紙排出部に前記記録紙を排出させるために前記切換部を制御する制御部と、を備え、
前記制御部は、前記記録紙を前記第１の記録紙排出部へ排出させる印刷ジョブの実行中に前記ジャム検出部により記録紙ジャムが検出され、その後に当該記録紙ジャムが不検出となったとき、この不検出時点で、前記第２の記録紙排出部に排出可能な位置に別の記録紙が存在する場合には、前記画像形成部により画像形成された当該別の記録紙を、前記切換部により前記第２の記録紙排出部から排出させる画像形成装置。
【請求項２】
前記制御部は、前記画像形成された前記別の記録紙を前記第２の記録紙排出部から排出させたとき、当該第２の記録紙排出部から排出させた別の記録紙に対して次頁となる記録紙に対する画像形成から前記画像形成部に再開させる請求項１に記載の画像形成装置。
【請求項３】
操作者から操作指示が入力される操作部を更に備え、
前記制御部は、前記画像形成された前記別の記録紙を前記第２の記録紙排出部から排出させたとき、前記操作部に、前記第２の記録紙排出部から排出させた前記別の記録紙の次頁となる記録紙に対する画像形成を前記画像形成部により再開させる指示が入力された場合に、前記画像形成部に当該次頁となる記録紙から画像形成を再開させる請求項２に記載の画像形成装置。
【請求項４】
前記制御部は、前記画像形成された前記別の記録紙を前記第２の記録紙排出部から排出させた場合であって、前記操作部に、当該第２の記録紙排出部から排出させた前記記録紙に対応する画像形成から再開させる指示が入力された場合は、当該当該第２の記録紙排出部から排出させた前記記録紙に対応する画像形成から前記画像形成部により再開させる請求項３に記載の画像形成装置。
【請求項５】
前記制御部は、前記画像形成された前記別の記録紙を前記第２の記録紙排出部から排出させてから、実行中の印刷ジョブを予め定められた時間だけ一時停止させた後、前記次頁となる記録紙に対する前記画像形成部による画像形成を再開させる請求項３又は請求項４に記載の画像形成装置。
【請求項６】
前記制御部は、前記印刷ジョブの一時停止中に、前記次頁となる記録紙を前記給紙部及び前記搬送部により搬送させ、前記次頁となる記録紙の記録紙搬送方向先端を、前記搬送路における前記給紙部の記録紙搬送方向下流側から前記画像形成部による画像形成位置までの間に位置させる請求項５に記載の画像形成装置。
【請求項７】
前記制御部は、操作者から前記操作部に印刷ジョブをキャンセルするキャンセル指示が入力されたとき、前記画像形成部に画像形成を行わせることなく、前記搬送部により前記次頁となる記録紙を排出させる請求項６に記載の画像形成装置。
【請求項８】
前記画像形成装置の本体に、画像が形成された記録紙に後処理を施す後処理装置が接続されており、
前記第１の記録紙排出部が前記後処理装置の記録紙排出部であり、
前記第２の記録紙排出部が前記画像形成装置の本体に設けられた記録紙排出部である請求項１乃至請求項７のいずれかに記載の画像形成装置。
【発明の詳細な説明】
【技術分野】
【０００１】
本発明は、画像形成装置に関し、特に、記録紙ジャム解除後における画像形成の制御に関する。
【背景技術】
【０００２】
プリンター、コピー機、ファクシミリ装置、及びそれら機能を兼ね備えた複合機等の画像形成装置には、一般に、記録紙が詰まった場合（記録紙ジャム）に、印刷（画像形成）を止めて、詰まった記録紙を除去可能とする機能が備えられている。このとき、除去された記録紙に対する印刷は未完了であったと画像形成装置により判断され、ジャム解除後は、印刷できなかった当該記録紙に対応する頁の印刷から印刷が再開される。なお、ジャムした印刷物は操作者による廃棄の対象となる。
【０００３】
また、印刷速度が速い高速機の場合、紙間を極力狭めて連続して記録紙を搬送するため、ジャムを解除する際、詰まった記録紙とともに、搬送路内に後続する記録紙が存在し、この後続の記録紙まで取り除かれることがある。しかし、後続の記録紙は、皺や破れ等の損傷を受けていないことがあるため、そのまま再利用が可能である。下記特許文献１には、後処理装置が接続された画像形成システムにおいて、後処理が中断した場合に、中間トレイに収納されている記録紙を廃棄することなく、後処理を再開する技術が開示されている。
【先行技術文献】
【特許文献】
【０００４】
【特許文献１】特開２００１−２４９５９７号公報
【発明の概要】
【発明が解決しようとする課題】
【０００５】
記録紙ジャムが発生した場合、後処理装置だけではなく画像形成装置の本体内の搬送路にも破損していない記録紙が滞留していることがある。上記特許文献１では、記録紙ジャム発生時に後処理装置内に滞留する記録紙を再利用する方法は開示されているが、画像形成装置内に滞留している記録紙の再利用については開示されていない。
【０００６】
本発明は、上記の問題を解決するためになされたもので、ジャム発生時に画像形成装置の本体内に滞留している記録紙を無駄にすることなく利用可能にすることを目的とする。
【課題を解決するための手段】
【０００７】
本発明の一局面に係る画像形成装置は、記録紙を収容し、該収容している記録紙を１枚ずつ繰り出す給紙部と、
前記給紙部から給紙された記録紙に画像を形成する画像形成動作を行う画像形成部と、
前記画像形成部によってトナー像が形成された記録紙を加熱及び加圧して該トナー像を該記録紙に定着させる定着処理を施す定着部と、
前記定着処理後の記録紙が排出される第１の記録紙排出部と、
前記記録紙が前記第１の記録紙排出部に向けて搬送される搬送路と、
前記搬送路において、前記第１の搬送路より記録紙搬送方向上流側となる位置に配置された第２の記録紙排出部と、
前記搬送路において前記記録紙を前記第１及び第２の記録紙排出部まで搬送する搬送部と、
前記搬送路における予め定められた位置での記録紙有無を検出する記録紙有無検出部と、
前記搬送路における記録紙ジャムを検出する記録紙ジャム検出部と、
前記搬送部により、前記記録紙を前記第１又は第２の記録紙排出部のいずれに向けて搬送させるかを切り換える切換部と、
印刷ジョブを実行し、前記第１又は第２の記録紙排出部に前記記録紙を排出させるために前記切換部を制御する制御部と、を備え、
前記制御部は、前記記録紙を前記第１の記録紙排出部へ排出させる印刷ジョブの実行中に前記ジャム検出部により記録紙ジャムが検出され、その後に当該記録紙ジャムが不検出となったとき、この不検出時点で、前記第２の記録紙排出部に排出可能な位置に別の記録紙が存在する場合には、前記画像形成部により画像形成された当該別の記録紙を、前記切換部により前記第２の記録紙排出部から排出させるものである。
【発明の効果】
【０００８】
本発明によれば、ジャム発生時に画像形成装置の本体内に滞留している記録紙があれば、当該記録紙は画像形成部により画像形成され、排出可能な排出部から排出されるため、当該滞留した記録紙を無駄にすることなく利用することができる。これにより、ジャム発生によって廃棄される記録紙を減らして、記録紙の無駄をなくすことができる。
【図面の簡単な説明】
【０００９】
【図１】本発明の一実施形態に係る画像形成装置の構造を示す図である。
【図２】画像形成装置の内部構成を示す機能ブロック図である。
【図３】画像形成装置による記録紙排出処理の第１実施形態を示すフローチャートである。
【図４】画像形成装置の記録紙排出処理による記録紙の排出を示す図である。
【図５】画像形成装置の記録紙排出処理による記録紙の排出を示す図である。
【図６】画像形成装置による記録紙排出処理の第２実施形態を示すフローチャートである。
【発明を実施するための形態】
【００１０】
以下、本発明の一実施形態に係る画像形成装置について図面を参照して説明する。図１は、本発明の一実施形態に係る記録紙排出装置及び画像形成装置の構造を示す図である。画像形成装置１は、例えば、コピー機能、プリンター機能、スキャナー機能、及びファクシミリ機能等の複数の機能を兼ね備えた複合機である。画像形成装置１は、装置本体１１に、画像形成部１２、定着部１３、給紙部１４、記録紙排出部１５、原稿搬送部６、及び原稿読取部５等を備えて構成されている。更に、画像形成装置１は、本発明の一実施形態に係る記録紙排出装置(後処理装置)６０を備えている。
【００１１】
装置本体１１は、下部装置本体１１１と、この下部装置本体１１１の上方に対向配置された上部装置本体１１２と、この上部装置本体１１２と下部装置本体１１１との間に設けられた連結部１１３とを備えている。連結部１１３は、下部装置本体１１１と上部装置本体１１２との間に記録紙排出部１５を形成させた状態で両者を互いに連結する。上部装置本体１１２は、連結部１１３の上端部に支持されている。上部装置本体１１２には、原稿読取部５及び原稿搬送部６が設けられている。
【００１２】
原稿読取部５は、上部装置本体１１２の上面に装着されたコンタクトガラス１６１と、このコンタクトガラス１６１に載置された原稿を押さえる開閉自在の原稿押さえカバー１６２と、コンタクトガラス１６１に載置された原稿の画像を読み取る読取機構１６３とを備えている。読取機構１６３は、ＣＣＤ（Charge Coupled Device）等を用いて原稿の画像を光学的に読み取り、画像データを生成する。
【００１３】
原稿搬送部６は、原稿が載置される原稿載置台６１と、画像読み取り済みの原稿が排出される原稿排出部６６と、原稿搬送機構６５と、を備える。原稿搬送機構６５は、図略の給紙ローラー、搬送ローラー対、及び記録紙反転機構を備えている。原稿搬送機構６５は、給紙ローラー及び搬送ローラー対の駆動により、原稿載置台６１に載置された原稿を１枚ずつ繰り出して原稿読取スリット５３に対向する位置へ搬送し、原稿読取スリット５３を介して読取機構１６３による原稿の読取を可能とした後、読み取り後の原稿を原稿排出部６６へと排出する。
【００１４】
更に原稿搬送部６は、その前面側が上方に移動可能となるように上部装置本体１１２に対して回動自在に設けられている。原稿搬送部６の前面側を上方に移動させて原稿台としてのコンタクトガラス１６１上面を開放することにより、コンタクトガラス１６１の上面に読み取り原稿、例えば見開き状態にされた書籍等を操作者が載置できる。
【００１５】
下部装置本体１１１には、画像形成部１２、定着部１３及び給紙部１４が内装されている。給紙部１４は、装置本体１１に対して挿脱可能の給紙カセット１４２，１４３，１４４を有している。給紙カセット１４２，１４３，１４４にはシート状の記録媒体(以下、単に記録紙Ｐと言う)が積層されてなる記録紙束がそれぞれ収容されている。
【００１６】
画像形成部１２は、給紙部１４から給紙された記録紙Ｐにトナー像を形成する画像形成動作を行う。画像形成部１２は、中間転写ベルト１２５の走行方向において上流側から下流側へ向けて順次配設された、マゼンタ色のトナーを用いるマゼンタ用の画像形成ユニット１２Ｍ、シアン色のトナーを用いるシアン用の画像形成ユニット１２Ｃ、イエロー色のトナーを用いるイエロー用の画像形成ユニット１２Ｙ及びブラック色のトナーを用いるブラック用の画像形成ユニット１２Ｂｋ（以下、各画像形成ユニットを区別することなく述べる場合には、それぞれを「画像形成ユニット１２０」と言う）と、駆動ローラー１２５ａ（二次転写対向ローラー）等の複数のローラー間に画像形成における副走査方向へ無端走行可能に張架された中間転写ベルト１２５と、中間転写ベルト１２５が駆動ローラー１２５ａに張架される部分で中間転写ベルト１２５の外周面に当接する二次転写ローラー２１０とを備えている。
【００１７】
各画像形成ユニット１２０は、感光体ドラム１２１と、感光体ドラム１２１へトナーを供給する現像装置１２２と、トナーを収容するトナーカートリッジ（不図示）と、帯電装置１２３と、露光装置１２４と、一次転写ローラー１２６と、ドラムクリーニング装置１２７とをそれぞれ備えている。
【００１８】
感光体ドラム１２１は、その周面に静電潜像及びこの静電潜像に対応したトナー像が形成される。現像装置１２２は、感光体ドラム１２１へトナーを供給する。各現像装置１２２には、前記トナーカートリッジからトナーが適宜補給される。
【００１９】
帯電装置１２３は、感光体ドラム１２１の直下位置に設けられている。帯電装置１２３は、各感光体ドラム１２１の周面を一様に帯電させる。
【００２０】
露光装置１２４は、感光体ドラム１２１の下方位置であって、帯電装置１２３の更に下方位置に設けられている。露光装置１２４は、コンピューター等から入力された画像データや原稿読取部５が取得した画像データに基づく各色に対応したレーザー光を、帯電後の感光体ドラム１２１の周面に照射し、各感光体ドラム１２１の周面に静電潜像を形成する。露光装置１２４は、いわゆるレーザー露光装置であり、レーザービームを出力するレーザー光源と、当該レーザービームを感光体ドラム１２１表面に向けて反射させるポリゴンミラーと、ポリゴンミラーによって反射されたレーザー光を感光体ドラム１２１に導くためのレンズやミラー等の光学部品を備えている。
【００２１】
現像装置１２２は、矢印の方向へ回転する感光体ドラム１２１の周面の静電潜像にトナーを供給して当該トナーを感光体ドラム１２１の周面に付着させ、感光体ドラム１２１の周面に前記画像データに応じたトナー像を形成する。
【００２２】
中間転写ベルト１２５は、各感光体ドラム１２１の上方位置に配置されている。中間転写ベルト１２５は、図１における左側の駆動ローラー１２５ａと、同図の右側の従動ローラー１２５ｂとの間に無端走行可能に張架され、下方の外周面が各感光体ドラム１２１の周面に当接している。従動ローラー１２５ｂは、駆動ローラー１２５ａに対向する位置に設けられて、中間転写ベルト１２５の無端走行に伴って従動回転する。中間転写ベルト１２５は、その外周面にトナー像が転写される像担持面が設定され、感光体ドラム１２１の周面に当接した状態で駆動ローラー１２５ａによって駆動される。中間転写ベルト１２５は、各感光体ドラム１２１の回転と同期しながら、駆動ローラー１２５ａと従動ローラー１２５ｂとの間を無端走行する。
【００２３】
中間転写ベルト１２５を挟んで各感光体ドラム１２１に対向する位置には、一次転写ローラー１２６が設けられている。この一次転写ローラー１２６には、図略の一次転写バイアス印加機構により一次転写バイアスが印加され、一次転写ローラー１２６は、各感光体ドラム１２１の外周面に形成された上記トナー像を中間転写ベルト１２５の表面に転写させる。
【００２４】
駆動ローラー１２５ａは、図略の制御部による制御の下で駆動される駆動モーター（図略）から与えられる回転駆動力により中間転写ベルト１２５を無端走行させる。
【００２５】
制御部１０１（図２）は、各色の画像形成ユニット毎に一次転写ローラー１２６及び画像形成ユニット１２０を制御して、中間転写ベルト１２５の表面に、マゼンタ用の画像形成ユニット１２Ｍにより形成されたマゼンタのトナー像の転写と、次いで中間転写ベルト１２５の同一位置にシアン用の画像形成ユニット１２Ｃにより形成されたシアンのトナー像の転写と、次いで中間転写ベルト１２５の同一位置にイエロー用の画像形成ユニット１２Ｙにより形成されたイエローのトナー像の転写と、最後のブラック用の画像形成ユニット１２Ｂｋにより形成されたブラックのトナー像の転写とを、各色のトナー像が重なり合うように行わせ、これによりカラーのトナー像を中間転写ベルト１２５の表面に形成させる（中間転写（一次転写））。
【００２６】
二次転写ローラー２１０は、図略の二次転写バイアス印加機構により二次転写バイアスが印加されている。二次転写ローラー２１０は、中間転写ベルト１２５の表面に形成されたカラーの上記トナー像を、給紙部１４から搬送されてきた記録紙Ｐに転写させる。二次転写ローラー２１０は、中間転写ベルト１２５が駆動ローラー１２５ａに張架される部分の搬送路１９０に、中間転写ベルト１２５の外周面に当接させて設けられている。二次転写ローラー２１０は、前記トナー像が記録紙に二次転写されるニップ部Ｎを、中間転写ベルト１２５を挟んで駆動ローラー１２５ａとの間に形成する。搬送路１９０を搬送される記録紙は、ニップ部Ｎにおいて中間転写ベルト１２５と二次転写ローラー２１０とに押圧挟持され、ここにおいて中間転写ベルト１２５上のトナー像が記録紙に二次転写される。
【００２７】
なお、二次転写ローラー２１０及び駆動ローラー１２５ａのニップ部Ｎよりも、記録紙Ｐの搬送方向上流側には、レジストローラー対６３０が配設されている。レジストローラー対６３０は、上記ニップ部Ｎにおける二次転写ローラー２１０による中間転写ベルト１２５からのトナー像転写タイミングと、記録紙搬送部４１１（図２）がニップ部Ｎに記録紙Ｐを搬送するタイミングを同期させるために、記録紙Ｐの搬送を待機等させる。
【００２８】
ドラムクリーニング装置１２７は、各感光体ドラム１２１の図１で左方位置に設けられ、感光体ドラム１２１の周面の残留トナーを除去して感光体ドラム１２１をクリーニングする。このドラムクリーニング装置１２７によってクリーニングされた感光体ドラム１２１の周面は、新たな帯電処理のために再び帯電装置１２３へ向かう。
【００２９】
画像形成部１２に対して図１での左方位置には、上下方向に延びる搬送路１９０が形成されている。搬送路１９０には、適所に搬送ローラー対１９２が設けられている。搬送ローラー対１９２は、給紙部１４から繰り出された記録紙Ｐを、ニップ部Ｎ及び定着部１３に向けて搬送する。すなわち、当該適所に配置された搬送ローラー対１９２からなる搬送機構により記録紙が搬送される。
【００３０】
定着部１３は、内部に加熱源である通電発熱体を備えた加熱ローラー１３２と、加熱ローラー１３２に対向配置された加圧ローラー１３４とを備えている。定着部１３は、画像形成部１２で転写された記録紙Ｐ上のトナー像に対し、記記録紙Ｐが加熱ローラー１３２と加圧ローラー１３４との間の定着ニップ部を通過する間に、加熱ローラー１３２から熱を与えて定着処理を施す。定着処理の完了した画像定着済みの記録紙Ｐは、定着部１３の上部から延設された第１搬送路１９６を通って、排出ローラー１９４により、下部装置本体１１１の頂部に設けられた排出トレイ１５１へ向けて排出される。
【００３１】
なお、従動ローラー１２５ｂに張架された中間転写ベルト１２５の外周面に対向する位置にはクリーニング部２２が設けられている。
【００３２】
給紙部１４は、装置本体１１の図１における右側壁に開閉自在に設けられた手差しトレイ１４１と、下部装置本体１１１内における露光装置１２４より下方位置に挿脱可能に装着された給紙カセット１４２，１４３，１４４とを備えている。
【００３３】
手差しトレイ１４１は、下部装置本体１１１の右面の下方位置に設けられた、記録紙Ｐを手差し操作で画像形成部１２へ向けて給紙するためのトレイである。給紙カセット１４２，１４３，１４４は、複数枚の記録紙Ｐが積層されてなる記録紙束を収容する。それぞれの給紙カセット１４２の上方には、給紙ローラー１４５が設けられ、給紙ローラー１４５は、給紙カセット１４２，１４３，１４４に収容された記録紙束の最上位の記録紙Ｐを搬送路１９０へ向けて繰り出す。
【００３４】
記録紙排出部１５は、下部装置本体１１１と上部装置本体１１２との間に形成されている。記録紙排出部１５は、下部装置本体１１１の上面に形成された排出トレイ（記録紙排出部）１５１を備える。排出トレイ１５１は、画像形成部１２でトナー像が形成された記録紙Ｐが、定着部１３で定着処理が施された後に排出されるトレイである。
【００３５】
搬送路１９０は、定着部１３に対して記録紙Ｐの搬送方向下流側となる分岐点１９５において、記録紙排出部１５に向かう第１搬送路１９６と、後処理装置６０に向かう第２搬送路１９７とに分岐している。この分岐点１９５には、分岐点１９５に向けて搬送されてくる記録紙Ｐを第１搬送路１９６又は第２搬送路１９７のいずれかに振り分けて案内する切換部１９８が設けられている。切換部１９８は、記録紙Ｐの搬送方向上流側に向かって尖った先端部を有し、この先端部が回動して、分岐前の搬送路１９０から第１搬送路１９６又は第２搬送路１９７に向かう搬送路部分の一方を閉じることによって、当該閉じられていない搬送路部分に繋がる第１搬送路１９６又は第２搬送路１９７に向けて記録紙Ｐを搬送させる。
【００３６】
画像形成装置１は、更に、記録紙排出装置として後処理装置６０を備える。後処理装置６０は、原稿台６００、パンチ部６０１、搬送ローラー対６０２、記録紙受台６０３、搬送ローラー対６２０、排出ローラー対６０７、及び排出トレイ６２３、及び搬送分岐ガイド６２４を備えている。
【００３７】
更に、後処理装置６０は、ステイプル装置６２５、受止部材６２６、搬送ローラー対６２７、ブック綴じ部６２８、及び排出トレイ６２９を備える。
【００３８】
原稿台６００は、当該記録紙排出装置としての後処理装置６０に後処理を行わせる原稿が載置される台である。
【００３９】
パンチ部６０１は、装置本体１１の排出ローラー対１５９又は原稿台６００から搬入されてきた複数枚の記録紙Ｐ（画像形成後の記録紙、及び原稿台６００上の原稿のいずれも含む）に対して、後処理の１つとしてパンチ処理を行う。
【００４０】
記録紙受台６０３は、搬送ローラー対６０２，６２０により搬送されてきた記録紙Ｐ又は原稿を記録紙束として一時的にストックする。
【００４１】
排出ローラー対６０７は、当該後処理装置６０から記録紙Ｐが排出される記録紙排出部６０６に配設され、搬送ローラー対６０２，６２０から搬送されてきた記録紙Ｐと、記録紙受台６０３から搬送されてきた記録紙束Ｐ１とを、排出トレイ６２３に排出する。
【００４２】
記録紙排出トレイ（記録紙排出部）６２３は、昇降部６０５による昇降動作で上下方向における移動を行う。排出トレイ６２３は、排出ローラー対６０７によって記録紙排出部６０６から排出される記録紙Ｐ又は記録紙束Ｐ１を、記録紙排出部６０６近傍の記録紙受取高さにおいて受け取る。記録紙排出部６０６から排出される記録紙Ｐ又は記録紙束Ｐ１は、排出トレイ６２３上に積載される。
【００４３】
ステイプル装置６２５は、記録紙受台６０３に搬入された記録紙Ｐに後処理としてのステイプル処理を施す。
【００４４】
受止部材６２６は、記録紙受台６０３に搬入された記録紙Ｐの下部端を受け止めて保持する。搬送ローラー対６２７は、記録紙受台６０３から下向に向かって記録紙Ｐ又は記録紙束Ｐ１を搬送する。
【００４５】
ブック綴じ部６２８は、搬送ローラー対６２７から搬送されてきた記録紙束Ｐ１を中央で折りたたんでブック綴じする。排出トレイ６２９には、ブック綴じ部６２８でブック綴じされた記録紙束Ｐ１が排出される。
【００４６】
記録紙受台６０３は、受止部材６２６を記録紙束Ｐ１の搬出方向に移動させる駆動部（図略）を備える。そして、駆動制御部６１１（図２）からの制御信号に応じて駆動部が駆動することにより、受止部材６２６で保持された記録紙束Ｐ１は、排出ローラー対６０７まで搬送され、排出ローラー対６０７によって記録紙排出部６０６から排出トレイ６２３に排出される。
【００４７】
ステイプル装置６２５は、駆動制御部６１１からの制御信号により駆動する図示しない駆動部により移動可能に構成され、記録紙受台６０３に搬入された記録紙Ｐに通常のステイプル処理を行う場合は記録紙Ｐの端付近の位置に移動させられると共に記録紙Ｐの端付近にステイプル処理を施し、ブック綴じを行う場合には記録紙Ｐの中央付近に移動させられると共に記録紙Ｐの中央付近にステイプル処理を施して中綴じを行う。
【００４８】
昇降部６０５は、図略の駆動源から付与される駆動力により回転する２つのプーリーと、当該２つのプーリーに張架されて各プーリーの回転に伴って回転するベルトと、当該ベルトの回転による移動方向に沿って排出トレイ６２３を上下方向に移動させるガイド部とを備え、排出トレイ６２３はその側部が上記ベルトに取り付けられている。駆動制御部６１１が上記駆動源を駆動制御することによって、昇降部６０５が排出トレイ６２３を昇降させる動作を行う。
【００４９】
また、画像形成装置１においては、記録紙Ｐに対する後処理の設定、及び画像転写後の記録紙Ｐにブック綴じ処理を行う設定等は、操作者が画像形成装置１の操作部（後述）から操作指示を入力することによって可能とされている。
【００５０】
次に、装置本体１１内及び後処理装置６０内に設けられた記録紙有無検出センサーについて上記図１を参照して説明する。
【００５１】
装置本体１１内の搬送路１９０、及び後処理装置６０内の搬送路６１９の各所には、記録紙検出センサー７１〜７６が設けられている。記録紙検出センサー７１〜７６は、例えば、搬送路１９０又は搬送路６１９を挟んで互いに対向する位置に設けられた発光部及び受光部を有する光センサーからなり、受光部が発光部からの光を受光しているときは当該記録紙検出センサーの配設位置には記録紙Ｐが存在しないことを示す記録紙無信号を制御ユニット１０に出力し、発光部及び受光部の間に記録紙Ｐが介在して受光部が発光部からの光を受光していないときは、当該記録紙検出センサーの配設位置に記録紙Ｐが存在することを示す記録紙有信号を制御ユニット１０に出力する。なお、後処理装置６０内の搬送路６１９に設けられる記録紙検出センサー７５，７６は、記録紙有信号及び記録紙無信号を、駆動制御部６１１（図２）を介して制御ユニット１０に出力する。
【００５２】
各記録紙検出センサーの配設配置を説明する。例えば、記録紙検出センサー７１は、搬送路１９０においてレジストローラー対６３０よりも記録紙Ｐの搬送方向の上流側であって、レジストローラー６３０の直近となる位置に設けられている。記録紙検出センサー７２は、搬送路１９０において定着部１３よりも記録紙Ｐの搬送方向の下流側となる位置に設けられている。記録紙検出センサー７３は、上記記録紙検出センサー７２よりも更に記録紙Ｐの搬送方向の下流側となる搬送路１９０の後端部、すなわち、搬送路１９０と排出トレイ１５１との接続部分に設けられている。また、記録紙検出センサー７４は、反転搬送路１９１に設けられている。
【００５３】
記録紙検出センサー７５，７６は、後処理装置６０内の搬送路６１９に設けられている。なお、記録紙検出センサー７１〜７６が特許請求の範囲における記録紙有無検出部の一例となる。また、上記に示した記録紙検出センサー７１〜７６の構成及び配置は一例に過ぎず、他の構成及び配置も採用し得る。
【００５４】
また、レジストセンサー７０は、搬送路１９０においてレジストローラー対６３０よりも記録紙Ｐの搬送方向上流側であり記録紙検出センサー７１よりも記録紙Ｐの搬送方向下流側に設けられている。レジストセンサー７０の構成は記録紙検出センサー７１〜７６と同様である。
【００５５】
次に、後処理装置６０を備える画像形成装置１の電気的構成を説明する。図２は画像形成装置１の内部構成を示す機能ブロック図である。
【００５６】
画像形成装置１は、制御ユニット１０を備える。制御ユニット１０は、ＣＰＵ(Central Processing Unit)、ＲＡＭ、ＲＯＭ及び専用のハードウェア回路等から構成される。制御ユニット１０は、制御部１０１及び記録紙ジャム検出部１０３を備えている。
【００５７】
制御部１０１は、画像形成装置１の全体的な制御を司る。
【００５８】
記録紙ジャム検出部１０３は、搬送路１９０における記録紙Ｐのジャムを検出する。本実施形態では、記録紙ジャム検出部１０３は、画像形成時における記録紙Ｐの搬送中に、記録紙検出センサー７１〜７６からの記録紙有信号及び記録紙無信号に基づいて、各記録紙Ｐが、上記画像形成部１２によるトナー画像転写に適したタイミング又は後処理装置６０における後処理に適したタイミングで、搬送路１９０，１９１，６１９における当該各記録紙検出センサーの配設位置に到達しているかを判断し、適切なタイミングで記録紙Ｐが各配設位置に到達していないと判断した場合は、搬送路１９０，１９１，６１９において、紙詰まり、すなわち記録紙ジャムが発生したものと判定する。
【００５９】
例えば、記録紙ジャム検出部１０３は、給紙ローラー１４５に記録紙Ｐの給紙を開始させた時点から、各記録紙検出センサーについて予め定められた経過時間（給紙ローラー１４５及び搬送ローラー対１９２による記録紙搬送速度と、給紙部１４から各記録紙検出センサーまでの距離とに基づいて定められる）が経過しても、当該記録紙Ｐが各記録紙検出センサーにより検出されない場合、または、記録紙搬送方向上流側の記録紙検出センサーからの記録紙有信号及び記録紙無信号に基づいて、記録紙有無検出部１０２が、記録紙Ｐの先端部を検出した後、予め定められた時間（搬送ローラー対１９２による記録紙Ｐの搬送速度と、記録紙Ｐの搬送方向における記録紙Ｐの長さとに基づいて定められる）経過しても当該記録紙Ｐの後端部を検出しない場合に、記録紙ジャムが発生したと判定する。
【００６０】
制御部１０１は、記録紙ジャム検出部１０３により記録紙ジャムが発生したと判定されたときは、この時点で、記録紙搬送部４１１を停止させて、搬送路１９０，１９１，１９６，１９７，６１９における記録紙搬送を停止させる。また、制御部１０１は、例えば、記録紙Ｐを排出トレイ６２３へ排出させる印刷ジョブの実行中に、記録紙ジャム検出部１０３により記録紙ジャムが検出された後、更に当該記録紙ジャムが不検出とされたとき、この不検出時点で、搬送路１９０及び６１９における当該記録紙ジャムを発生させた記録紙Ｐの搬送方向上流側であって、排出トレイ１５１に排出可能な位置に別の記録紙Ｐが存在する場合には、画像形成部１２により画像形成された当該別の記録紙Ｐを切換部１９８を制御して、排出トレイ１５１から排出させる制御を行う。制御部１０１による制御の詳細は後述する。
【００６１】
制御部１０１は、原稿読取部５、画像処理部３１、画像メモリー３２、記録紙搬送部４１１、画像形成部１２、定着部１３、操作部４７、ファクシミリ通信部７１０、ネットワークインターフェイス部９１、ＨＤＤ（ハードディスクドライブ）８１等と接続されている。制御部１０１は、接続されている上記各機構の制御や、各機構との間での信号又はデータの送受信を行う。
【００６２】
制御部１０１は、操作者から操作部４７又はネットワーク接続されたパーソナルコンピューター等を通じて入力されるジョブの実行指示に従って、スキャナー機能、コピー機能及びプリンター機能の各機能についての制御を実行するために必要な各機構部の駆動及び処理を制御する。
【００６３】
上記のように、画像形成装置１は、装置本体１１において第２の記録紙排出部としての排出トレイ１５１、及び後処理装置６０において第１の記録紙排出部としての排出トレイ６２３の２つの記録紙排出部を備える。操作者はいずれの記録紙排出部へ記録紙を排出させるかを指示することができ、制御部１０１は、操作者の指示に従って、定着部１３における定着処理後の記録紙を装置本体１１及び後処理装置６０のいずれの記録紙排出部に排出させるかを制御する。なお、第２の記録紙排出部を排出トレイ１５１、及び第１の記録紙排出部を排出トレイ６２３に限定する趣旨ではなく、本発明では、他の排出トレイや排出機構も、第１及び第２の記録紙排出部として採用可能である。第２の記録紙排出部は、第１の記録紙排出部より、記録紙搬送方向上流側であればよい。
【００６４】
原稿読取部５は、画像照射ランプ５１１及びＣＣＤ（電荷結合素子：Charge Coupled Device）センサー５１２を有する上記の読取機構１６３からなるスキャナー部５１を備える。原稿読取部５は、画像照射ランプ５１１により原稿を照射し、その反射光をＣＣＤセンサー５１２で受光することにより、原稿から画像を読み取る。
【００６５】
画像処理部３１は、原稿読取部５で読み取られた画像の画像データを必要に応じて画像処理する。例えば、画像処理部３１は、原稿読取部５により読み取られた画像が画像形成部１２により画像形成された後の品質を向上させるために、予め定められた画像処理を行う。画像処理部３１により処理された画像データは、画像メモリー３２に記憶され、又は、画像形成部１２或いはファクシミリ通信部７１０等に出力される。
【００６６】
画像メモリー３２は、上記原稿読取部５で読み取られた画像データ等を記憶する。
【００６７】
記録紙搬送部４１１は、図１に示した給紙ローラー１４５及び搬送ローラー対１９２等から構成され、手差しトレイ１４１，給紙カセット１４２，１４３，１４４に収納されている記録紙を画像形成部１２、及び後処理装置６０に通じる排出ローラー対６０７及び記録紙排出部６０６まで搬送する。なお、排出ローラー対６０７及び記録紙排出部６０６も記録紙搬送部４１１を構成する。
【００６８】
操作部４７は、図２に加えて図１にも示すように、画像形成装置１が実行可能な各種動作及び処理について操作者からの指示を受け付ける。
【００６９】
ファクシミリ通信部７１０は、図略の符号化／復号化部、変復調部及びＮＣＵ（Network Control Unit）を備え、公衆電話回線網を用いてのファクシミリの送信を行うものである。ファクシミリ通信部７１０は、例えば原稿読取部５によって読み取られた原稿の画像データを、電話回線を介してファクシミリ装置等へ送信したり、ファクシミリ装置等から送信された画像データを受信する。
【００７０】
ＨＤＤ８１は、原稿読取部５によって読み取られた画像データ等を記憶する。ＨＤＤ８１に記憶されている画像データは、画像形成部１２による画像形成に用いられ、また、画像形成装置１にネットワーク接続されたクライアントコンピューターへの送信が可能である。
【００７１】
ネットワークインターフェイス部９１は、ＬＡＮボード等の通信モジュールから構成され、当該ネットワークインターフェイス部９１に接続されたＬＡＮ等を介して、ローカルエリア内の装置(パーソナルコンピューター等)と種々のデータの送受信を行う。
【００７２】
また、制御部１０１は、後処理装置６０に接続されている。後処理装置６０は、制御ユニット６１０と、昇降部６０５と、ローラー駆動装置６５２とを備えている。なお、後処理装置６０は、上述した各機構を有するが、ここでは、排出トレイ６２３の昇降制御に関係する各部を示すものとする。
【００７３】
制御ユニット６１０は、ＣＰＵ、ＲＡＭ、ＲＯＭ及び専用のハードウェア回路等から構成される。制御ユニット６１０は、駆動制御部６１１と、メモリー６１２とを備える。
【００７４】
駆動制御部６１１は、後処理装置６０の全体的な制御を司る。駆動制御部６１１は、装置本体１１側の制御部１０１と通信により連携し、後処理装置６０の各機構の動作を制御し、或いは、装置本体１１側の表示部４７３等の動作機構を制御する。
【００７５】
ローラー駆動装置６５２は、排出ローラー対６０７に回転駆動力を付与するモーター等の動力発生装置である。ローラー駆動装置６５２は、制御部１０１及び駆動制御部６１１により駆動制御される。ローラー駆動装置６５２は、他のローラー、例えば搬送ローラー対６０２，６２０等にも回転駆動力を付与する。
【００７６】
次に、後処理装置６０の記録紙排出部６０６へ記録紙を排出させる印刷ジョブの実行中に記録紙ジャムが発生した場合における画像形成装置１による記録紙排出処理の第１実施形態について説明する。図３は記録紙排出処理の第１実施形態を示すフローチャートである。
【００７７】
制御部１０１が、画像形成装置１において後処理装置６０の記録紙排出部６０６へ記録紙を排出させる印刷ジョブを実行させているときに、記録紙ジャム検出部１０３が上述のようにして記録紙ジャムの発生を検出すると（Ｓ１）、制御部１０１は、記録紙搬送部４１１の動作を停止させて記録紙Ｐの搬送を停止させると共に、画像形成部１２等による画像形成動作（印刷動作）を一時停止させる（Ｓ２）。
【００７８】
制御部１０１は、このように画像形成動作を一時停止させているとき、記録紙検出センサー７１〜７６から受け取る用紙検出信号に基づいて、表示部４７３にジャム発生箇所を表示させ、これと共に、ジャム解消のための処置方法を示すメッセージを表示させる。操作者は、表示部４７３の表示に従って、装置本体１１や後処理装置６０の前面や側面のカバーを開けて、搬送路１９０又は６１９を開放させ、詰まった記録紙Ｐを取り除く。
【００７９】
操作者が、当該詰まった記録紙Ｐを取り除いて上記カバーを閉じると、記録紙ジャム検出部１０３は、各記録紙検出センサー７１〜７６からの記録紙検出信号に基づいて、詰まった記録紙Ｐが取り除かれたか否かを判断する。記録紙ジャム検出部１０３により記録紙ジャムが検出されている場合は（Ｓ３でＮＯ）、制御部１０１は、表示部４７３にジャム発生箇所及び処置方法を再び表示させておく。
【００８０】
一方、後処理装置６０においてジャムが発生した場合において、操作者が後処理装置６０から詰まった紙を取り除くと、各記録紙検出センサー７１〜７６からの記録紙無検出信号に基づいて、記録紙ジャム検出部１０３は、記録紙ジャムが解除されたと判断する（Ｓ３でＹＥＳ）。
【００８１】
複数の記録紙に対して連続した画像形成を行う印刷ジョブの場合、搬送路１９０，６１９には、複数の記録紙が存在することがある。例えば、後処理装置６０の搬送路６１９において記録紙ジャムが発生した場合、記録紙ジャムを生じさせた記録紙Ｐに続く後続の別の記録紙Ｐが、排出されずに装置本体１１内の搬送路１９０に滞留している場合がある。
【００８２】
ここで、制御部１０１は、記録紙検出センサー７１〜７６から受け取る記録紙検出信号に基づいて、上記記録紙ジャムを生じている搬送路位置よりも記録紙搬送方向上流側となる位置に、後続する記録紙Ｐが存在しているか否かを判断する（Ｓ４）。
【００８３】
制御部１０１が、記録紙ジャムの発生位置よりも記録紙搬送方向上流側の位置に、後続の記録紙Ｐが存在していると判断した場合は（Ｓ４でＹＥＳ）、更に、記録紙検出センサー７１〜７６から受け取る記録紙検出信号に基づいて、当該後続の記録紙Ｐの先端部の位置が排出トレイ１５１に対して排出可能な位置、すなわち、分岐点１９５における切換部１９８よりも記録紙搬送方向上流側に位置するか否かを判断する（Ｓ５）。
【００８４】
なお、制御部１０１は、記録紙ジャムの発生位置よりも記録紙搬送方向上流側の位置に、後続の記録紙Ｐが存在していないと判断した場合（Ｓ４でＮＯ）、記録紙ジャムを発生させた記録紙Ｐに対する画像形成を、給紙部１４から供給させる新たな記録紙Ｐに対して実行する（Ｓ１６）。
【００８５】
制御部１０１は、上記後続の記録紙Ｐの先端部の位置が画像形成部１２による画像形成位置（すなわち、ニップ部Ｎ）よりも記録紙搬送方向上流側に位置すると判断した場合（Ｓ５でＹＥＳ）、記録紙搬送部４１１を動作させて当該後続の記録紙Ｐの搬送を再開させ、画像形成部１２に当該後続の記録紙Ｐに対する画像形成を行わせた後（Ｓ６）、切換部１９８を回動させて当該記録紙Ｐを排出トレイ１５１に向かう搬送路１９６に案内し、当該記録紙Ｐを排出トレイ６２３に排出させる（Ｓ７）。
【００８６】
なお、制御部１０１は、上記後続の記録紙Ｐの先端部の位置が画像形成部１２による画像形成位置よりも記録紙搬送方向上流側に位置していても、切換部１９８を回動させて当該記録紙Ｐを排出トレイ１５１に向かう搬送路１９６に案内可能な位置にある場合には、Ｓ５でＹＥＳとして、記録紙搬送部４１１を動作させて当該後続の記録紙Ｐの搬送を再開させ、画像形成部１２に当該後続の記録紙Ｐに対する画像形成を行わせて（Ｓ６）、切換部１９８により当該記録紙Ｐを排出トレイ１５１から排出させるようにしてもよい（Ｓ７）。
【００８７】
制御部１０１は、この後、上記記録紙ジャムを発生させた記録紙Ｐに対応する画像形成を、更に別の新たな記録紙Ｐに対して画像形成部１２に行わせ（Ｓ８）、続いて、給紙部１４から更に新たな記録紙Ｐを給紙させて、当該記録紙ジャムを発生させた記録紙Ｐ及び上記後続の記録紙Ｐの各頁に続く残り頁についての画像形成を、給紙部１４から供給させる新たな記録紙Ｐに対して実行する（Ｓ９）。
【００８８】
例えば、高速印刷が可能な画像形成装置１の場合、記録紙Ｐの間隔を狭めて次々に搬送するため、連続印刷を行う印刷ジョブの実行中は、搬送路１９０，６１９に複数枚の記録紙Ｐが存在することがある。このとき、図４に示すように、後処理装置６０の搬送路６１９で記録紙ジャムが発生して記録紙Ｐの搬送が停止した場合であっても、装置本体１１の搬送路１９０には、記録紙ジャム等による破損や汚れを生じていない別の記録紙Ｐが存在する場合がある。この場合には、当該別の記録紙Ｐを単に排出するのではなく、画像形成部１２により画像形成を当該記録紙Ｐに対して行ってから、図５に矢印で示すように、記録紙ジャムを生じておらず記録紙Ｐの通過が可能な、排出トレイ１５１に向かう搬送路を通過させて、当該記録紙Ｐを排出トレイ１５１に排出させる。この場合、上述したように、当該画像形成及び排出の対象とされる記録紙Ｐは、記録紙搬送方向における先端部が、画像形成部１２による画像形成位置（ニップ部Ｎ）よりも記録紙搬送方向において上流側であることが好ましく、少なくとも、切換部１９８の配設位置よりは上流側である必要がある。なお、記録紙搬送方向における先端部が画像形成位置よりも記録紙搬送方向上流側にあることを条件とした場合、画像形成の途中で画像形成が停止及び再開されることがないため、画像形成品質の良さをより確保できる。
【００８９】
一方、制御部１０１は、上記後続の記録紙Ｐの先端部の位置が画像形成部１２による画像形成位置（すなわち、ニップ部Ｎ）よりも記録紙搬送方向上流側に位置しないと判断した場合（Ｓ５でＮＯ）、画像形成部１２に当該後続の記録紙Ｐに対する画像形成を行わせることなく、記録紙搬送部４１１を動作させて、当該記録紙Ｐを後処理装置６０側の排出トレイ６２３に排出させる（Ｓ１４）。この後、制御部１０１は、画像形成部１２に、当該後続の記録紙Ｐに対応する画像形成から、給紙部１４から供給させる新たな記録紙Ｐに対して再開させる（Ｓ１５）。
【００９０】
このような第１実施形態によれば、後処理装置６０側でのジャム発生時に画像形成装置１の装置本体１１内の搬送路１９０において滞留している記録紙Ｐがあれば、当該記録紙Ｐは画像形成部１２により画像形成され、排出可能な排出部である排出トレイ１５１から排出されるため、当該滞留した記録紙Ｐを再利用することができる。これにより、記録紙ジャム発生によって廃棄される記録紙Ｐの量を減らして、記録紙Ｐの無駄をなくすことができる。
【００９１】
次に、後処理装置６０の記録紙排出部６０６へ記録紙を排出させる印刷ジョブの実行中に記録紙ジャムが発生した場合における画像形成装置１による記録紙排出処理の第２実施形態について説明する。図６は記録紙排出処理の第２実施形態を示すフローチャートである。なお、第１実施形態と同様の処理は説明を省略する。
【００９２】
第２実施形態では、第１実施形態と同様にして、制御部１０１が、記録紙搬送部４１１を動作させて当該後続の記録紙Ｐの搬送を再開させ、画像形成部１２に当該後続の記録紙Ｐに対する画像形成を行わせ、当該記録紙Ｐを排出させた後（Ｓ２６，Ｓ２７）、当該制御部１０１は、当該記録紙ジャムを発生させた記録紙Ｐ及び上記後続の記録紙Ｐの各頁に続く残り頁についての画像形成を即座に行わせず、画像形成動作を予め定められた時間（例えば、30秒）だけ一時的に停止させる（Ｓ２８）。
【００９３】
このように画像形成動作を一時停止させることにより、操作者は、イレギュラーに装置本体１１の排出トレイ１５１に排出された記録紙Ｐを、予定通りに後処理装置６０の排出トレイ６２３に排出された印刷済みの記録紙Ｐの束の上に、正しい印刷順で重ねる時間を、操作者に与えることができる。すなわち、予定通りに印刷が終了している記録紙Ｐの束の上に、続く頁の画像形成が行われた記録紙Ｐが搬送されてくる前に、操作者は、排出トレイ１５１に排出された上記記録紙Ｐを、正確な頁順を保って積載することが可能になる。
【００９４】
また、制御部１０１は、当該一時停止の間に、給紙部１４及び記録紙搬送部４１１により、新たな記録紙Ｐを、画像形成部１２による画像形成位置（ニップ部Ｎ）の手前位置、具体的には、記録紙Ｐの記録紙搬送方向先端部がレジストローラー６３０によるニップ部に到達する位置まで搬送させる（Ｓ２９）。
【００９５】
これにより、画像形成動作が再開されたとき、当該画像形成位置の手前位置まで搬送済みの記録紙Ｐを用いて、次頁以降の画像形成を即座に開始することができる。なお、制御部１０１が、当該一時停止の間に、給紙部１４及び記録紙搬送部４１１により新たな記録紙Ｐを搬送させておく位置は、これに限られず、例えば、搬送路１９０における給紙部１４（給紙ローラー１４１）の記録紙搬送方向下流側から画像形成部１２による画像形成位置（ニップ部Ｎ）までの間であれば、当該効果を確保できる。
【００９６】
制御部１０１は、上記画像形成動作の一時停止中は、印刷ジョブを再開させる再開指示が操作部４７に操作者から入力されるのを待機する（Ｓ３０でＮＯ）。そして、制御部１０１は、操作者により操作部４７に印刷ジョブを再開させる再開指示が入力されると（Ｓ３０でＹＥＳ）、制御部１０１は、給紙部１４から新たな記録紙Ｐを給紙させて、上記記録紙ジャムを発生させた記録紙Ｐに対応する画像形成と、排出トレイ１５１に排出された記録紙Ｐに続く残りの各頁に行うべき画像形成とを、当該新たに供給される記録紙Ｐに対して画像形成部１２により行わせ（Ｓ３１）、残りの印刷ジョブを遂行する。
【００９７】
また、Ｓ２３０おいては、操作部４７には、上記排出トレイ１５１に排出された記録紙Ｐに対応する画像形成から再開させる指示が入力可能とされ、制御部１０１は、当該指示が操作部４７に入力されたときには、給紙部１４から給紙される新たな記録紙Ｐに対して、当該排出トレイ１５１に排出された記録紙Ｐに行うべき画像形成から画像形成部１２により再開させ、画像形成後の記録紙Ｐを後処理装置６０の排出トレイ６２３に排出させるようにしてもよい。この場合、操作者は、排出トレイ１５１にイレギュラーに排出された記録紙Ｐを、正常に印刷されて排出された記録紙Ｐの束まで移動させて載置しなくても、後処理装置６０側の排出トレイ６２３上に、正確な頁順で載置される記録紙Ｐの束を形成することができる。
【００９８】
なお、Ｓ３０で上記再開指示が入力されず、印刷ジョブをキャンセルする指示が操作者から操作部４７に入力された場合には、制御部１０１は、上記画像形成位置の手前位置まで搬送していた記録紙Ｐを、画像形成部１２に画像形成を行わせることなく、記録紙搬送部４１１により、白紙のまま装置本体１１の排出トレイ１５１から排出させてもよい。これにより、画像形成装置１を、新たな記録紙Ｐを用いて新たな印刷ジョブを処理可能な状態にすることができる。
【００９９】
また、これによりＳ２３においては、操作者が操作部４７に上記再開指示を入力するか、上記キャンセル指示を入力するかを選択可能になるので、操作者は、必要に応じて、印刷ジョブに基づく画像形成動作のさせ方を変更可能となる。例えば、上記のように装置本体１１の排出トレイ１５１に排出された記録紙Ｐを利用する場合は、記録紙Ｐの無駄をなくせる一方で、印刷動作を一時停止させる必要があることから、印刷ジョブ完了までの所要時間が長くなる。これに対して、排出トレイ１５１に排出された記録紙Ｐを利用する意思が操作者になければ、画像形成動作を一時停止させずに記録紙ジャムが発生したページから残りのページを一気に連続して画像形成することで、印刷ジョブ完了までの所要時間をなくすことができる。操作者は、いずれの画像形成動作を行わせるかを、操作部４７に上記再開指示又は上記キャンセル指示のいずれを入力するかで選択可能になる。
【０１００】
以上、本発明の実施形態について説明したが、本発明は上記実施の形態の構成に限られず種々の変形が可能である。例えば、上記実施形態では、本発明に係る画像形成装置の一実施形態として複合機を用いて説明しているが、これは一例に過ぎず、他の電子機器、例えば、プリンター、コピー機、ファクシミリ装置等の他の画像形成装置でもよい。また、後処理装置６０は必須ではなく、本発明は、複数の記録紙排出部を備えた画像形成装置に適用可能である。
【０１０１】
また、図１乃至図６を用いて上記実施形態により示した構成は、本発明の一実施形態に過ぎず、本発明を当該構成に限定する趣旨ではない。
【符号の説明】
【０１０２】
１          画像形成装置
１００      制御ユニット
１０１      制御部
１０２      記録紙有無検出部
１０３      記録紙ジャム検出部
１１        装置本体
１２        画像形成部
１３        定着部
１４        給紙部
１５１      排出トレイ
１９０，６１９  搬送路
１９１      反転搬送路
１９５      分岐点
１９６      第１搬送路
１９７      第２搬送路
１９８      切換部
４１１      記録紙搬送部
７１‐７７  記録紙検出センサー
６０        後処理装置
６２３      排出トレイ
【図１】
2015206944.tif 000003
【図２】
2015206944.tif 000004
【図３】
2015206944.tif 000005
【図４】
2015206944.tif 000006
【図５】
2015206944.tif 000007
【図６】
2015206944.tif 000008